(57)【要約】【課題】ノイズの影響を低減してＦＭ文字多重放送を受信することができる給湯器リモコンを提供することを目的とする。【解決手段】両面実装基板であるメイン基板１１０のＡ面に給湯器リモコンの作動を制御するマイコン５０を実装し、メイン基板１１０のＢ面のマイコン５０が実装された部分と対向する箇所に導電性金属ケース１２０を搭載し、導電性金属ケース１２０内に、ＦＭ文字多重放送の受信が可能であって金属シールドカバー７６で覆われたチューナーモジュールとマイコン７３とが実装されたチューナー基板７０を装着する。【選択図】  図４
2006183957.tif 000002
【特許請求の範囲】
【請求項１】
給湯器を遠隔操作するリモコン装置であって、
該リモコン装置の作動を制御する第１のマイコンが実装されたメイン基板と、
該メイン基板に搭載された導電性金属ケースと、
該導電性金属ケース内に収容され、ＦＭ文字多重放送の受信が可能なチューナーモジュールと、該チューナーモジュールにより受信されたＦＭ文字多重放送から文字データを抽出する第２のマイコンとが実装されたチューナー基板とを備えたことを特徴とする給湯器リモコン。
【請求項２】
前記メイン基板は表裏両面に部品が実装された両面実装基板であり、前記第１のマイコンと前記チューナー基板とは、前記メイン基板及び前記導電性金属ケースを介して対向して配置されていることを特徴とする請求項１記載の給湯器リモコン。
【請求項３】
前記メイン基板は、下ケースと該下ケースに装着される上ケースとからなる筐体内に、前記導電性金属ケースが搭載された面を該下ケースに向けて収納され、
前記導電性金属ケースは、底面を前記メイン基板に接して搭載されて天面が開口し、
前記下ケースは、前記メイン基板が収納されたときに、前記導電性金属ケースを収容して前記導電性金属ケースの天面を閉塞する導電性の収容部を備えたことを特徴とする請求項１又は請求項２記載の給湯器リモコン。
【請求項４】
前記収容部は、前記導電性金属ケースの形状に合わせて、対向する内壁が底部に向かって互いに接近するように傾斜して形成され、
前記導電性金属ケースは、側面が前記収容部の内壁と接して導通した状態で前記収容部に収容されていることを特徴とする請求項３記載の給湯器リモコン。
【請求項５】
前記導電性金属ケースは、前記導電性金属ケースに設けられた第１の係止部材を、前記メイン基板に該第１の係止部材に対応して穿設された第１の位置決め穴に挿入して係止することにより、前記メイン基板上の第１の所定位置に位置決めされていることを特徴とする請求項１から請求項４のうちいずれか１項記載の給湯器リモコン。
【請求項６】
前記メイン基板は、前記第１の位置決め穴と所定の位置関係にある半田付けパッドを備え、
前記導電性金属ケースは、前記メイン基板上の前記第１の所定位置に位置決めされたときに、前記半田付けパッドと対向する箇所に設けられた半田付けリード部を備えて、
前記半田付けリード部が前記半田付けパッドに半田付けされていることを特徴とする請求項５記載の給湯器リモコン。
【請求項７】
前記チューナー基板は、前記導電性金属ケースに設けられた第２の係止部材を、前記チューナー基板に該第２の係止部材に対応して穿設された第２の位置決め穴に挿入して係止することにより、前記導電性金属ケース内の第２の所定位置に位置決めされていることを特徴とする請求項１から請求項６のうちのいずれか１項記載の給湯器リモコン。
【請求項８】
前記チューナーモジュールは、金属シールドカバーで覆われ、
前記導電性金属ケースは、前記チューナー基板が収容されたときに前記金属シールドカバーと弾発的に接触して、前記導電性金属ケースと前記金属シールドカバーとを導通状態に維持すると共に、前記チューナー基板が前記導電性金属ケースに収容された状態を維持する導電性の圧接部を備えたことを特徴とする請求項１から請求項７のうちいずれか１項記載の給湯器リモコン。
【発明の詳細な説明】
【技術分野】
【０００１】
本発明は、ＦＭ文字多重放送の受信機能を備えた給湯器リモコンに関する。
【背景技術】
【０００２】
近年、ＦＭ放送の音声電波の隙間に、ニュースや天気予報等の文字情報を有するデータを重畳させて配信するＦＭ文字多重放送が普及している。そして、ＦＭ文字多重放送により配信される文字情報には、現在時刻情報が含まれるものがあることから、ＦＭ文字多重放送を受信するデータ受信装置と、現在時刻を計時して表示を行なう時計装置とを備え、該データ受信装置により受信されるＦＭ文字多重放送の受信信号に含まれる現在時刻情報に基づいて、時計装置による計時時刻を修正するシステムが提案されている（例えば、特許文献１参照）。
【特許文献１】特開平９−２８９４６２号公報
【発明の開示】
【発明が解決しようとする課題】
【０００３】
ＦＭ文字多重放送の受信機能を給湯器を遠隔操作する給湯器リモコンに付加して、使用者にＦＭ音声放送と共に文字情報を提供することにより、使用者の快適性の向上を図ることが考えられる。ここで、給湯器リモコンには、給湯器の作動状況等を表示するための比較的大きな表示手段が備えられているため、給湯器リモコンにＦＭ文字多重放送のチューナーを備えて、該表示手段にＦＭ文字多重放送による文字情報を表示することにより、該表示手段を有効に利用して、使用者にＦＭ音声のみならず文字情報の提供も可能な給湯器リモコンを提供することができる。
【０００４】
しかし、給湯器リモコンの電子基板には、マイコンやその周辺機器、表示器のバックライトを駆動するためのインバータ等、ノイズの発生源となる多くの電子部品が実装されている。そして、電子基板にＦＭ文字多重放送のチューナーを実装する場合、給湯器リモコンのサイズの制限から、チューナーを他の電子部品に近接して配置せざるを得ない。この場合、他の電子部品から放射されるノイズの影響を受け易くなるため、チューナーの作動不良が生じ易くなる。
【０００５】
そこで、本発明は、ノイズの影響を低減してＦＭ文字多重放送を受信することができる給湯器リモコンを提供することを目的とする。
【課題を解決するための手段】
【０００６】
本発明は上記目的を達成するためになされたものであり、給湯器を遠隔操作するリモコン装置であって、該リモコン装置の作動を制御する第１のマイコンが実装されたメイン基板と、該メイン基板に搭載された導電性金属ケースと、該導電性金属ケース内に収容され、ＦＭ文字多重放送の受信が可能なチューナーモジュールと、該チューナーモジュールにより受信されたＦＭ文字多重放送から文字データを抽出する第２のマイコンとが実装されたチューナー基板とを備えたことを特徴とする。
【０００７】
かかる本発明によれば、前記チューナー基板を前記導電性金属ケース内に装着することによって、前記メイン基板に実装された前記第１のマイコン等の電子部品から発生するノイズの伝播を前記導電性金属ケースにより遮蔽することができる。そのため、ノイズの影響を低減して、前記チューナー基板によりＦＭ文字多重放送を受信することができる。
【０００８】
また、前記メイン基板は表裏両面に部品が実装された両面実装基板であり、前記第１のマイコンと前記チューナー基板とは、前記メイン基板及び前記導電性金属ケースを介して対向して配置されていることを特徴とする。
【０００９】
かかる本発明によれば、前記メイン基板の一方の面に実装された第１のマイコンは、前記メイン基板の他方の面に搭載された前記導電性金属ケースを介して、前記チューナー基板と対向する。これにより、前記第１のマイコンと前記チューナー基板の双方を前記メイン基板の片面に実装する場合に比べて、前記メイン基板のサイズを小型化することができると共に、前記第１のマイコン及びその周辺回路から発生するノイズを前記導電性金属ケースにより効率良く遮蔽して、前記チューナー基板における該ノイズの影響を低減することができる。
【００１０】
また、前記メイン基板は、下ケースと該下ケースに装着される上ケースとからなる筐体内に、前記導電性金属ケースが搭載された面を該下ケースに向けて収納され、前記導電性金属ケースは、底面を前記メイン基板に接して搭載されて天面が開口し、前記下ケースは、前記メイン基板が収納されたときに、前記導電性金属ケースを収容して前記導電性金属ケースの天面を閉塞する導電性の収容部を備えたことを特徴とする。
【００１１】
かかる本発明によれば、前記導電性金属ケースの上面が開口しているため、前記チューナー基板を前記導電性金属性ケース内に容易に収容することができる。そして、前記下ケースに前記メイン基板を収容することにより、前記導電性金属ケースの天面の開口部が前記導電性の収容部で閉塞されるため、前記導電性金属ケースによるノイズ遮蔽の効果を一層高めることができる。
【００１２】
また、前記収容部は、前記導電性金属ケースの形状に合わせて、対向する内壁が底部に向かって互いに接近するように傾斜して形成され、前記導電性金属ケースは、側面が前記収容部の内壁と接して導通した状態で前記収容部に収容されていることを特徴とする。
【００１３】
かかる本発明によれば、前記収容部の内壁が底部に向かって互いに接近するように傾斜しているため、前記導電性金属ケースを前記収容部に収容する際に、前記導電性金属ケースを該傾斜に沿って前記収容部内に導いて前記収容部の内壁と接触させ、前記収容部と確実に導通させることができる。
【００１４】
また、前記導電性金属ケースは、前記導電性金属ケースに設けられた第１の係止部材を、前記メイン基板に該第１の係止部材に対応して穿設された第１の位置決め穴に挿入して係止することにより、前記メイン基板上の第１の所定位置に位置決めされていることを特徴とする。
【００１５】
かかる本発明によれば、前記導電性金属ケースの前記第１の係止部材を、前記メイン基板の前記第１の位置決め穴に挿入して係止することによって、前記導電性金属ケースを、前記メイン基板の前記第１の所定位置に容易に搭載することができる。
【００１６】
また、前記メイン基板は、前記第１の位置決め穴と所定の位置関係にある半田付けパッドを備え、前記導電性金属ケースは、前記メイン基板上の前記第１の所定位置に位置決めされたときに、前記半田付けパッドと対向する箇所に設けられた半田付けリード部を備えて、前記半田付けリード部が前記半田付けパッドに半田付けされていることを特徴とする。
【００１７】
かかる本発明によれば、前記半田付けリード部と前記半田付けパッドを半田付けすることにより、前記導電性金属ケースを前記メイン基板に固定することができると共に、該半田付けパッドを介して前記導電性金属ケースを容易に所定電位とすることができる。
【００１８】
また、前記チューナー基板は、前記導電性金属ケースに設けられた第２の係止部材を、前記チューナー基板に該第２の係止部材に対応して穿設された第２の位置決め穴に挿入して係止することにより、前記導電性金属ケース内の第２の所定位置に位置決めされていることを特徴とする。
【００１９】
かかる本発明によれば、前記導電性金属ケースの前記第２の係止部材を、前記チューナー基板の前記第２の位置決め穴に挿入して係止することによって、前記チューナー基板を前記導電性金属ケースの前記第２の所定位置に容易に収容することができる。
【００２０】
また、前記チューナーモジュールは、金属シールドカバーで覆われ、前記導電性金属ケースは、前記チューナー基板が収容されたときに前記金属シールドカバーと弾発的に接触して、前記導電性金属ケースと前記金属シールドカバーとを導通状態に維持すると共に、前記チューナー基板が前記導電性金属ケースに収容された状態を維持する導電性の圧接部を備えたことを特徴とする。
【００２１】
かかる本発明によれば、前記圧接部を介して前記金属シールドカバーと前記導電性金属ケースとが導通すると共に、前記圧接部により前記チューナー基板が前記導電性金属ケース内に収容された状態を維持する。これにより、前記チューナー基板を前記収容部内に保持した上で、同電位となる部位の面積を増大させて、前記金属シールドカバー及び前記導電性金属ケースによるノイズの遮蔽効果を向上させることができる。
【発明を実施するための最良の形態】
【００２２】
本発明の実施の形態について、図１〜図８を参照して説明する。図１は本発明の給湯器リモコンである浴室リモコンの外観図、図２は図１に示した浴室リモコンの表示器におけるＦＭ放送の選局状態と文字情報の表示状態を示した説明図、図３は図１に示した浴室リモコンの回路構成図、図４，図５は図１に示した浴室リモコンの分解斜視図、図６はメイン基板と導電性金属ケースの位置決め態様の説明図、図７は導電性金属ケースが搭載されたメイン基板の斜視図、図８は導電性金属ケースとチューナー基板の位置決め態様の説明図である。
【００２３】
図１を参照して、浴室リモコン１（本発明の給湯器リモコンに相当する）は、給湯器を遠隔操作する機能の他に、ＦＭ文字多重放送を含むＦＭ放送を受信する機能と、他のリモコンとの間で通話を行なうインターホン機能とを有しており、給湯器の作動状況やＦＭ文字多重放送による文字情報を表示する表示器２と、第１の操作部３と、第２の操作部４と、第３の操作部５と、スピーカ６とを備えている。なお、図１の表示器２の表示状態は、給湯器の作動状態を示す「浴室リモコン画面」となっている。
【００２４】
第１の操作部３には、ＦＭ放送の受信を行う「ＦＭ放送聴視モード」への移行と解除を指示するためのラジオ文字スイッチ１０と、インターホン通話を行う「インターホンモード」への移行と解除を指示するための通話スイッチ１１とが備えられている。なお、ラジオ文字スイッチ１０には、「ＦＭ放送聴視モード」であるときに点灯するＬＥＤ１０ａが内蔵されており、通話スイッチ１１には、「インターホンモード」であるときに点灯するＬＥＤ１１ａが内蔵されている。
【００２５】
第２の操作部４には、スピーカ６の音量の増減や給湯温度の上げ下げ等を指示するためのＤＯＷＮスイッチ１２及びＵＰスイッチ１３と、「浴室リモコン画面」において機能選択モード（音量、省電力表示の設定等を行なう）への移行と解除を指示すると共に、後述する「ラジオ画面」においてラジオの選択モード（選局モード（オート／マニュアル）の設定、チャンネル設定等を行なう）への移行と解除を指示するための選択スイッチ１４と、浴槽への足し湯及びＦＭ放送の選局等を指示するための足し湯スイッチ１５と、浴槽への足し水及びＦＭ放送の選局等を指示するためのぬる湯スイッチ１６とが備えられている。
【００２６】
第３の操作部５には、浴槽に所定量の湯を供給する自動湯張り運転の開始と停止を指示するための自動スイッチ１７と、浴槽内の湯を加熱する追焚き運転の開始と停止を指示するための追焚きスイッチ１８と、給湯器を運転状態と待機状態に切替えるための運転スイッチ１９とが備えられている。なお、運転状態においては各スイッチの操作が可能であって表示器２に各種の情報が表示され、待機状態においては運転スイッチ１９以外の操作が不能となって表示器２は消灯する。
【００２７】
また、自動スイッチ１７には自動湯張り運転の実行中に点灯するＬＥＤ１７ａが内蔵され、追焚きスイッチ１８には追焚き運転の実行中に点灯するＬＥＤ１８ａが内蔵され、運転スイッチ１９には給湯器が運転状態にあるときに点灯するＬＥＤ１９ａが内蔵されている。
【００２８】
次に、図２（ａ）は、「ＦＭ放送聴視モード」で表示器２が「ラジオ画面」であるときに、使用者が選択スイッチ１４を操作して「ラジオ選局モード（オート選局モード）」としたときの表示器２の表示状態を示している。この場合は、給湯器の作動状態を示す優先表示２０、高温表示２１、及び燃焼表示２２と、時計表示２５の他に、ＦＭ放送局の選局可能表示３０，３１、受信中のチャンネル番号３２（プリセットされた周波数のチャンネル番号）、及び受信中の放送局名３３が表示される。さらに、ＦＭ文字多重放送により緊急放送（ニュース速報、災害情報等）を受信したときに緊急情報番組表示２３が表示される。
【００２９】
そして、使用者は、足し湯スイッチ１５とぬる湯スイッチ１６を操作して、プリセットされた周波数の中から受信するＦＭ放送局を選局することができる。なお、マニュアル選局モードが選択されたときには、チャンネル３２は消灯し、放送局名３３に変えて周波数が表示される。そして、使用者は、足し湯スイッチ１５とぬる湯スイッチ１６を操作して、ＦＭ放送の受信周波数を変更することができる。
【００３０】
また、図２（ｂ）は、「ＦＭ放送聴視モード」において、ＦＭ文字多重放送が受信されているときの表示器２の表示状態を示している。この場合は、ＦＭ文字多重放送の受信信号から抽出された文字データに含まれる文字情報４１（ニュースや天気予報等）が、順次表示器２に表示される。また、文字情報４１がＦＭ音声信号の内容と連動したものであるときには、ＬＩＮＫ表示４０が表示される。
【００３１】
次に、図３を参照して、浴室リモコン１の回路構成について説明する。浴室リモコン１の筐体内にはメイン基板１１０が収容され、メイン基板１１０に実装されたマイコン５０（本発明の第１のマイコンに相当する）により浴室リモコン１の作動が制御される。そして、操作部３，４，５（図１参照）の各スイッチの操作信号がマイコン５０に入力され、マイコン５０から出力される制御信号により、表示器２の表示内容が変更されると共にＬＥＤ１０ａ，１１ａ，１７ａ，１８ａ，１９ａの点灯／消灯が制御される。
【００３２】
また、メイン基板１１０には、給湯器９０との間で制御信号の送受信等を行なう通信回路６０、台所リモコン９１との間で音声信号の送受信を行なうインターホン回路６１、音声を取り込んでインターホン回路６１に入力するマイク６２、マイコン５０からの制御信号に応じて音声信号を合成する音声合成回路６４、及びチューナー基板７０が備えられている。
【００３３】
チューナー基板７０には、ＦＭ文字多重放送の受信が可能なチューナーモジュール７２と、予め選択された周波数（プリセット周波数）が記憶されたメモリ７４と、マイコン７３（本発明の第２のマイコンに相当する）とが実装されている。マイコン７３に備えられた文字データ抽出手段７５は、チューナーモジュール７２により受信されたＦＭ文字多重放送の受信信号から文字データを抽出して、メイン基板１１０のマイコン５０に出力する。
【００３４】
チューナーモジュール７２により受信された音声信号は音声出力回路６３に入力される。そして、音声出力回路６３は、マイコン５０からの制御信号に応じて、インターホン回路６１から入力される音声信号と、音声合成回路６４から入力される音声信号と、チューナーモジュール７２から入力される音声とのうちのいずれかを選択して、又はこれらを同時にスピーカ６から出力する。
【００３５】
また、マイコン５０には、現在時刻を計時する計時手段８０と、計時手段８０による計時時刻の時刻合わせを行なう時刻設定手段８１と、計時手段８０による時刻合わせの処理においてチューナーモジュール７２の受信周波数が変更された場合に、メモリ７４に記憶された直近の選択周波数に復帰させる選択周波数復帰手段８２と、文字データ抽出手段７５により抽出された文字データに含まれる情報を表示器２に文字表示する文字情報表示手段８３とが備えられている。
【００３６】
次に、図４〜図８を参照して、浴室リモコン１の組み付け態様について説明する。図４に示したように、メイン基板１１０は浴室リモコン１の筐体の上ケース１００に取り付けられ、メイン基板１１０の表示器２が実装された箇所を避けて導電性金属ケース１２０が搭載される。そして、導電性金属ケース１２０内にチューナー基板７０が収容される。
【００３７】
ここで、チューナ基板７０に実装されたチューナーモジュール７２（図３参照）は、金属シールドカバー７６で覆われて外来ノイズを防止している。また、チューナー基板７０全体を導電性金属ケース１２０内に収容することで、チューナーモジュール７２を二重にシールドして耐ノイズ性能を高めると共にマイコン７３に対するノイズの影響を低減している。
【００３８】
さらに、メイン基板１１０は、表裏（Ａ面，Ｂ面）両面に部品が実装された両面実装基板であるが、メイン基板１１０のマイコン５０（図３参照）はＡ面に実装され、導電性金属ケース１２０はメイン基板１１０のＢ面のマイコン５０と対向する位置に搭載されている。そのため、メイン基板１１０に導電性金属ケース１２０とチューナー基板７０とが組み付けられたときに、マイコン５０とチューナー基板７０が、メイン基板１１０及び導電性金属ケース１２０を介して対向する状態となる。これにより、マイコン５０とチューナー基板７０相互間のノイズの影響を、導電性金属ケース１２０の遮蔽効果により低減することができる。
【００３９】
また、図５を参照して、浴室リモコン１の下ケース１３０には、導電性金属ケース１２０の形状に合わせた収容部１３１が形成されている。収容部１３１には導電性塗料が塗布されており、導電性金属ケース１２０とチューナー基板７０とが搭載されたメイン基板１１０を上ケース１００に取り付けて、下ケース１３０に装着したときに、導電性金属ケース１２０が収容部１３１内に収容されて導電性金属ケース１２０の天面を塞ぐ状態となる。
【００４０】
また、収容部１３１の対向する側壁の内側１３２ａ，１３２ｂは、底面側に向かって互いに接近するように傾斜して形成されている。これにより、収容部１３１に導電性金属ケース１２０が挿入されたときに、導電性金属ケース１２０の側面の外側と側壁の内側１３２ａ，１３２ｂとが接触して導通状態となるようにしている。このように、導電性金属ケース１２０の天面も導電材（導電性塗料が塗布された収容部１３１）で覆うことにより、チューナー基板７０の耐ノイズ性能が向上することが期待できる。
【００４１】
なお、収容部１３１の他の対向する壁面の内側１３３ａ，１３３ｂについても、１３２ａ，１３２ｂと同様に、底面側に向かって互いに接近するように傾斜して形成し、収容部１３１に導電性金属ケース１２０が収容されたときに、導電性金属ケース１２０と接触するようにしてもよい。
【００４２】
次に、図６を参照して、メイン基板１１０には、導電性金属ケース１２０をメイン基板１１０上の第１の所定位置に位置決めして搭載するための位置決め穴１１１ａ，１１１ｂが穿設されている。一方、導電性金属ケース１２０には、位置決め穴１１１ａに対応して折り曲げ形成された爪部１２１ａ（本発明の第１の係止部に相当する）と、位置決め穴１１１ｂに対応して折り曲げ形成された爪部１２１ｂ（本発明の第１の係止部に相当する）とが形成されている。
【００４３】
そして、爪部１２１ａを位置決め穴１１１ａに挿入し、また、爪部１２１ｂを位置決め穴１１１ｂに挿入することによって、導電性金属ケース１２０がメイン基板１１０のＢ面の第１の所定位置に位置決めされて係止されるようにしている。また、導電性金属ケース１２０には、チューナー基板７０を導電性金属ケース１２０内の第２の所定位置に位置決めして装着するために折り曲げ形成された爪部１２２ａ，１２２ｂ（本発明の第２の係止部に相当する）と、導電性金属ケース１２０をメイン基板１１０に半田付けするための半田付けリード部１２３ａ，１２３ｂ，１２３ｃとが形成されている。
【００４４】
さらに、導電性金属ケース１２０の底面には、メイン基板１１０に実装された部品を逃げるための段差部１２４が形成され、該段差部１２４のメイン基板１１０と対向する面には絶縁フィルム１２６が貼られている。
【００４５】
図７は、導電性金属ケース１２０の爪部１２１ａ，１２１ｂを、メイン基板１１０の位置決め穴１１１ａ，１１１ｂに挿入して係止した状態を示しており、このとき、導電性金属ケース１２０の半田付けリード部１２３ａ，１２３ｂ，１２３ｃは、メイン基板１１０に設けられた半田付けパッド１１２ａ，１１２ｂ，１１２ｃとそれぞれ接する状態となる。そのため、半田付けリード部１２３ａ，１２３ｂ，１２３ｃを、半田付けパッド１１２ａ，１１２ｂ，１１２ｃと容易に半田付けすることができる。
【００４６】
そして、かかる半田付けにより、導電性金属ケース１２０をメイン基板１１０に固定することができる。また半田付けパッド１１２ａ，１１２ｂ，１１２ｃは接地電位部と導通しているため、導電性金属ケース１２０を接地電位としてシールド効果を生じさせることができる。
【００４７】
次に、図８に示したように、導電性金属ケース１２０に折り曲げ形成された爪部１２２ａ，１２２ｂをチューナー基板７０に穿設された位置決め穴７７ａ，７７ｂにそれぞれ挿入して係止することにより、チューナー基板７０が導電性金属ケース１２０内の第２の所定位置に位置決めして装着される。
【００４８】
また、導電性金属ケース１２０の対向する側面には、側面の一部を板バネ形状に折り曲げ形成された圧接部１２５ａ，１２５ｂ，１２５ｃ，１２５ｄが備えられている。圧接部１２５ａ，１２５ｂ，１２５ｃ，１２５ｄは、導電性金属ケース１２０にチューナー基板７０が挿入されたときに、チューナーモジュール７２の金属シールドカバー７６の側面に圧接されて接触する。
【００４９】
これにより、導電性金属ケース１２０と金属シールドカバー７６が導通して、接地電位となる部分の面積が大きくなるため接地電位が安定し、導電性金属ケース１２０及び金属シールドカバー７６によるノイズの遮蔽性を向上させることができる。また、対向する圧接部１２５ａ，１２５ｂと圧接部１２５ｃ，１２５ｄとにより、金属シールドカバー７６の側面が両側から圧接されて挟持され、これによりチューナー基板７０が導電性金属ケース１２０に固定される。
【００５０】
なお、本実施の形態では、図５に示したように、導電性の収容部１３１内に導電性金属ケース１２０を収容して、導電性金属ケース１２０の天面を塞ぐことで、導電性金属ケース１２０によるノイズの遮蔽効果を高めたが、該収容部１３１を備えない場合であっても本発明の効果を得ることができる。
【００５１】
また、本実施の形態では、メイン基板１１０を両面実装基板とし、メイン基板１１０のマイコン５０と導電性金属ケース１２０を異なる面に実装して、マイコン５０とチューナー基板７０をメイン基板１１０及び導電性ケース１２０を介して対向する位置に配置したが、マイコン５０をチューナー基板７０と対向する位置以外の箇所に実装する場合でも、本発明の効果を得ることができる。
【００５２】
また、本実施の形態では、導電性金属ケース１２０において、爪部１２１ａ，１２１ｂ及び爪部１２２ａ，１２２ｂを、導電性金属ケース１２０の一部を切り欠いて折り曲げ形成したが、これらの爪部を他の方法により備えてもよい。さらに、ピン形状等、他の形状としてもよい。
【００５３】
また、本実施の形態では、導電性金属ケース１２０において、圧接部１２５ａ，１２５ｂ，１２５ｃ，１２５ｄを、導電性金属ケース１２０の側面の一部を切り欠いて折り曲げ形成したが、これらの圧接部を他の方法により備えてもよい。さらに、金属シールドカバー７６の側面ではなく上面を圧接する等、他の圧接態様により金属シールドカバー７６と導電性金属ケース１２０とを導通状態に維持すると共に、チューナー基板７０を導電性金属ケース１２０に収容された状態に維持するようにしてもよい。
【００５４】
また、本実施の形態では、導電性金属ケース１２０に設けた半田付けリード部１２３ａ，１２３ｂ，１２３ｃを、メイン基板１１０に設けた半田付けパッド１１２ａ，１１２ｂ，１１２ｃに半田付けすることで、導電性金属ケース１２０をメイン基板１１０に固定すると共に、導電性金属ケース１２０をメイン基板１１０の接地電位部と導通させたが、かかる半田付けを行なわない場合であっても、本発明の効果を得ることができる。
【図面の簡単な説明】
【００５５】
【図１】本発明の給湯器リモコンである浴室リモコンの外観図。
【図２】図１に示した浴室リモコンの表示器におけるＦＭ放送の選局状態と文字情報の表示情報を示した説明図。
【図３】図１に示した浴室リモコンの回路構成図。
【図４】図１に示した浴室リモコンの分解斜視図。
【図５】図１に示した浴室リモコンの分解斜視図。
【図６】メイン基板と導電性金属ケースの位置決め態様の説明図。
【図７】導電性金属ケースが搭載されたメイン基板の斜視図。
【図８】導電性金属ケースとチューナー基板の位置決め態様の説明図。
【符号の説明】
【００５６】
１…浴室リモコン、２…表示器、５０…（メイン基板の）マイコン、７０…チューナー基板、７２…チューナーモジュール、７３…（チューナー基板の）マイコン、７６…金属シールドカバー、７７ａ，７７ｂ…（チューナー基板の）位置決め穴、１００…上ケース、１１０…メイン基板、１１１ａ，１１１ｂ…（メイン基板の）位置決め穴、１１２ａ，１１２ｂ，１１２ｃ…半田付けパッド、１２０…導電性金属ケース、１２１ａ，１２１ｂ…爪部（第１の係止部）、１２２ａ，１２２ｂ…爪部（第２の係止部）、１２３ａ，１２３ｂ，１２３ｃ…半田付けリード部、１２５ａ，１２５ｂ，１２５ｃ，１２５ｄ…圧接部、１３０…下ケース、１３１…収容部
【図１】
2006183957.tif 000003
【図２】
2006183957.tif 000004
【図３】
2006183957.tif 000005
【図４】
2006183957.tif 000006
【図５】
2006183957.tif 000007
【図６】
2006183957.tif 000008
【図７】
2006183957.tif 000009
【図８】
2006183957.tif 000010